(57)【要約】  本発明は特に、電子的手段を用いて双安定性液晶を備える支持手段に情報を書き、表示し、消去するための再利用可能な装置に関する。本発明の目的は、情報を書いて表示するため、基板（1）を備えていて、その上には、その基板（1）から順番に、導電性コーティング（2）；周囲光の全部または一部を一様に吸収することのできる光学的コーティング（3）；複数の双安定性液晶（5）が内部で乳化されている透明な物質からなるコーティング（4）；少なくとも1つの導電性素子（7）が設けられた再利用可能な装置であって、導電性素子（7）が電圧発生装置（8）を通じて導電性コーティングに電気的に接続されて電気回路（9）を形成することと、導電性素子（7）を、複数の双安定性液晶（5）が内部で乳化されている透明なコーティング（4）の表面に接触させてその上を移動させることにより、接触位置においてその透明なコーティングの光透過状態を変化させ、書いて表示する情報を発生させることを特徴とする装置である。本発明は、液晶支持スクリーンに書いて表示する技術分野で利用される。
2008544298.tif 000002
【特許請求の範囲】
【請求項１】
情報を書いて表示するため、基板（1）を備えていて、その上には、その基板（1）から順番に、導電性コーティング（2）；周囲光の全部または一部を一様に吸収することのできる光学的コーティング（3）；複数の双安定性液晶（5）が内部で乳化されている透明な物質からなるコーティング（4）；少なくとも1つの導電性素子（7）が設けられた再利用可能な装置であって、上記導電性素子（7）が電圧発生装置（8）を通じて上記導電性コーティングに電気的に接続されて電気回路（9）を形成することと、上記導電性素子（7）を、複数の双安定性液晶（5）が内部で乳化されている上記透明なコーティング（4）の表面に接触させてその上を移動させることにより、接触位置においてその透明なコーティングの光透過状態を変化させ、書いて表示する情報を発生させることを特徴とする装置。
【請求項２】
上記導電性素子（7）を、複数の双安定性液晶（5）が内部で乳化されている上記透明なコーティング（4）の表面に接触させてその上を移動させることにより、接触位置においてその透明なコーティングの光透過状態を変化させ、表示されている情報を消去することを特徴とする、請求項1に記載の装置。
【請求項３】
複数の双安定性液晶（5）が内部で乳化されている透明な物質からなる上記コーティング（4）と上記光学的コーティング（3）が逆になっていることを特徴とする、請求項1または2に記載の装置。
【請求項４】
上記導電性コーティング（2）と上記光学的コーティング（3）が逆になっていることを特徴とする、請求項1または2に記載の装置。
【請求項５】
上記基板と、光の全部または一部を吸収する上記光学的コーティングが、光を吸収する基板を形成することを特徴とする、請求項4に記載の装置。
【請求項６】
光の全部または一部を吸収する上記光学的コーティングと、上記導電性コーティングが、同一の導電性光吸収性コーティング（2'）を形成することを特徴とする、請求項1または2に記載の装置。
【請求項７】
上記基板と、光の全部または一部を吸収する上記光学的コーティングと、上記導電性コーティングが、同一の導電性光吸収性コーティング（1'）を形成することを特徴とする、請求項1または2に記載の装置。
【請求項８】
光透過性保護コーティング（6）が他のあらゆるコーティングの上に堆積されていて、他のコーティングへの接触や引っ掻かき傷から保護している、請求項1〜7のいずれか1項に記載の装置。
【請求項９】
上記保護コーティング（6）の厚さが0.3〜3μmであることを特徴とする、請求項8に記載の装置。
【請求項１０】
上記保護コーティング（6）の面抵抗率が106Ωよりも大きいことを特徴とする、請求項9に記載の装置。
【請求項１１】
複数の双安定性液晶（5）が内部で乳化されている上記透明なコーティング（4）の光透過状態の変更が、上記導電性素子（7）を、複数の双安定性液晶（5）を含む上記透明なコーティング（4）と接触させて電気回路（9）を閉じるとき、その電気回路の中を伝送される第1の電圧パルス（v2）によってなされることで、情報が書いて表示される、請求項1〜8のいずれか1項に記載の装置。
【請求項１２】
上記第1の電圧パルスが、増加した後に低下する振幅が40〜80ボルトの電圧（v2）であることを特徴とする、請求項11に記載の装置。
【請求項１３】
複数の双安定性液晶（5）が内部で乳化されている上記透明なコーティング（4）の光透過状態の変更が、上記導電性素子（7）を、複数の双安定性液晶（5）を含む上記透明なコーティング（4）と接触させて電気回路（9）を閉じるとき、その電気回路の中を伝送される直流電圧または交流電圧によってなされることで、情報が書いて表示される、請求項1〜8のいずれか1項に記載の装置。
【請求項１４】
複数の双安定性液晶（5）が内部で乳化されている上記透明なコーティング（4）の光透過状態の変更が、上記導電性素子（7）を、複数の双安定性液晶（5）を含む上記透明なコーティング（4）と接触させて電気回路（9）を閉じるとき、その電気回路の中を伝送される第2の電圧パルス（v1）によってなされることで、書いて表示された情報が消去される、請求項2〜8のいずれか1項に記載の装置。
【請求項１５】
上記第2の電圧パルスが、増加した後に低下する振幅が80〜120ボルトの電圧（v1）であることを特徴とする、請求項14に記載の装置。
【請求項１６】
接触端（10）を有する鉛筆の形状をした少なくとも1つの導電性素子（7）（例えば電極）を備える、請求項1〜8のいずれか1項に記載の装置。
【請求項１７】
上記接触端（10）が、鉛筆の丸くなった先端部または平坦な円板の形状であることを特徴とする、請求項16に記載の装置。
【請求項１８】
上記接触端（10）が導電性かつ変形可能であり、その接触端を接触させることになるコーティングとの密な接触が保証されることを特徴とする、請求項16または17に記載の装置。
【請求項１９】
上記基板（1、1'）が、例えば1枚の紙やプラスチックなどの可撓性支持体であることを特徴とする、請求項1〜8のいずれか1項に記載の装置。
【請求項２０】
上記基板（1、1'）が、面抵抗率が10Ω未満の金属支持体であることを特徴とする、請求項1〜8のいずれか1項に記載の装置。
【請求項２１】
上記基板（1、1'）が、カード（例えば顧客カード）の表面の全体または一部であることを特徴とする、請求項1〜8のいずれか1項に記載の装置。
【請求項２２】
上記基板（1、1'）が可撓性シートであり、そのシートに印刷するプリンタで用いるのに適したサイズであることを特徴とする、請求項1〜8のいずれか1項に記載の装置。
【発明の詳細な説明】
【技術分野】
【０００１】
本発明は、液晶を備えるスクリーンを用いた表示の技術分野に関する。本発明は、より詳細には、電子的手段を用いて双安定性液晶を備える支持手段に情報を書き、表示し、消去するための再利用可能な装置に関する。
【背景技術】
【０００２】
紙またはプラスチックからなる可撓性支持体に書いて消すための電子的手段が従来技術で知られている。
【０００３】
アメリカ合衆国特許出願公開2004/00041799には、再利用可能な面に書いたり消したりするための電子鉛筆を備える手段が開示されている。この面は、電場を面にほぼ垂直な方向に印加すると状態が変化する双安定性染料からなるコーティングを含んでいる。電場を一方向に印加すると面に書くことができ、電場を反対方向に印加すると、書いたものを消すことができる。電場の方向が染料の状態を決定する。一般に、染料の2つの状態は、ヒトの目によって区別される。消すために用いる端部、または書くのに用いる電子鉛筆の先端部は、それぞれ、中心電極と、その中心電極と同心になった一対の円筒形電極からなる。この電極構造は製造するのが比較的難しいため、コストがかかる。電極は、大きな電場を発生させるため尖った形状になっている。この形状は、電極が面に接触したときにその面が引っ掻かれて双安定性染料からなるコーティングが損傷する危険性があるという欠点を有する。接触していないときには、染料の状態を変化させるため、一対の電極と面の距離を一定にして電場を同じレベルに維持せねばならない。電極が移動している間を通じて距離を一定にすることは、高価な装置を使用しない限り難しい。染料の状態を変化させるための上記の条件を満たすようにして場の方向（特に面にほぼ垂直な方向）を決め、染料の状態を変化させる必要がある。書く線の幅を広くするには電場（電圧）の値を大きくする必要がある。電場の値を大きくするのに一般に用いられている手段は電位差計である。電位差計を追加すると、装置のコストが増大し、サイズが大きくなるという問題がある。例えば電源を備えた装置は、電気的エネルギーを消費するという欠点を有する。なぜなら印加する電場は、装置を作動させている間（例えば書いている全期間）を通じて維持せねばならないからである。
【０００４】
アメリカ合衆国特許第5,956,113号には、液晶の中でクラスターになったシリカ粒子を含む双安定性反射スクリーンが開示されている。シリカ粒子の濃度は、スクリーンの導電性コーティング間に印加してスクリーンの状態を変化させる電場を取り除いた後にスクリーンの反射状態または透過状態が維持されるように選択する。異なるスクリーンを重ねてこれらスクリーンに適切な電場を印加することにより、入射光線をもとにしてカラー画像を形成することができる。ポリマーまたは液晶をベースとしたこれらマルチ-コーティング・スクリーンは、例えばイメージング・システムで使用される。これらマルチ-コーティング・スクリーンは、比較的複雑であるためにどちらかと言えば高価であり、携帯利用するのはあまり簡単ではない。なぜなら、主としてマルチ-コーティング構造のために厚くなるからである。
【０００５】
携帯タイプの媒体（例えばカード）に情報を書き、表示し（メモリまたはメモ板として用いる）、削除できるためには、かさばらず、容易に持ち運びできて、装置の構造または構成と使用コスト（例えば電源の消費）に関して高価でない筆記・表示装置を用いることが望ましい。媒体に書くのに用いる要素はこの媒体を引っ掻かないことが望ましい。さらに、こうした装置は簡単に使用できることが望ましい。すなわち、情報を書いて消すことが容易かつ素早くできることが望ましい。
【発明の開示】
【発明が解決しようとする課題】
【０００６】
本発明の目的は、従来技術の欠点または問題点を解決することにより、情報を書き、表示し、消去できる再利用可能な表示装置を提供することである。本発明の目的は、特別な制約のない装置、特に情報媒体に書くのに用いる手段を特別な向きにするという制約がない装置、あるいは作動している間を通じて維持する電場の値に関する制約がない装置を供給することである。
【０００７】
書くための要素と情報媒体によって構成される全体がかさばらず、したがって携帯可能であり、あまり高価ではなく（製造コストと使用コストが低下した）、再利用可能なディスプレイ支持体も本発明の目的である。
【課題を解決するための手段】
【０００８】
第1の実施態様によると、本発明の目的は特に、情報を書いて表示するため、基板を備えていて、その上には、その基板から順番に、導電性コーティング；周囲光の全部または一部を一様に吸収することのできる光学的コーティング；複数の双安定性液晶が内部で乳化されている透明な物質からなるコーティング；少なくとも1つの導電性素子が設けられた再利用可能な装置であって、導電性素子が電圧発生装置を通じて導電性コーティングに電気的に接続されて電気回路を形成することと、導電性素子を、複数の双安定性液晶が内部で乳化されている透明なコーティングの表面に接触させてその上を移動させることにより、接触位置においてその透明なコーティングの光透過状態を変化させ、書いて表示する情報を発生させるか、以前から表示されているこの情報を消去することを特徴とする装置。
【０００９】
上に説明した第1の実施態様の変形例によると。複数の双安定性液晶が内部で乳化されている透明な物質からなるコーティングと、光を吸収できる光学的コーティングが、上に説明した第1の実施態様でコーティングを設ける順番とは逆になっている。
【００１０】
上に説明した第1の実施態様の別の変形例では、導電性コーティングと光を吸収できる光学的コーティングが逆になっている。
【００１１】
特別な一実施態様では、本発明の目的は、基板に設けたすべてのコーティングに固定されていて、これらコーティングを接触または引っ掻き傷から保護するための透光性保護コーティングも備えた、上に説明したのと同様の（第1の実施態様と両方の変形例による）装置である。
【００１２】
本発明の装置は、情報を書いて表示するのに、複数の双安定性液晶が内部で乳化されている透明なコーティングの光透過状態の変更が、導電性素子を、複数の双安定性液晶を含むその透明なコーティングと接触させて電気回路を閉じるとき、その電気回路の中を伝送される第1の電圧パルスによってなされるようにされている。第1の電圧パルスは、増加した後に低下する。このパルスの振幅は60ボルトであることが好ましい。
【００１３】
本発明の別の一実施態様では、装置は、複数の双安定性液晶が内部で乳化されている透明なコーティングにおける光の透過状態を電気回路に送られる電圧によって変化させて導電性素子と導電性コーティングの間に電位差を発生させ、そのことによって情報を書いて表示するようにされている。この電圧は、直流でも交流でもよい。例えば60ボルトの電圧を印加することが好ましい。
【００１４】
同様に、書いて表示された情報を消去するには、複数の双安定性液晶が内部で乳化されている上記透明なコーティングの光透過状態の変更が、導電性素子を、複数の双安定性液晶を含む透明なコーティングと接触させて電気回路を閉じるとき、その電気回路の中を伝送される第2の電圧パルスによってなされる。第2の電圧パルスは、増加した後に低下する。このパルスの振幅は100ボルトであることが好ましい。
【００１５】
第1の好ましい実施態様では、光の全部または一部を吸収する光学的コーティングと、導電性コーティングが、同一の導電性光吸収性コーティングを形成する。
【００１６】
第2の好ましい実施態様では、基板と、光の全部または一部を吸収する光学的コーティングが、光を吸収する基板を形成する。
【００１７】
第3の好ましい実施態様では、基板と、光の全部または一部を吸収する光学的コーティングと、導電性コーティングが、同一の導電性光吸収性基板を形成する。
【００１８】
装置の導電性素子は、鉛筆の形状になっていて先端部を接点として用いる電極である。接点として利用する先端部は導電性かつ変形可能であるため、その先端部を接触させることになるコーティングとの密な接触が保証される。導電性素子の先端部は、発生させることになる情報に関係した形状を持つことが好ましい。形状は、書かれるものの性質（文字、絵）と線の幅に特に関係する。この装置は、複数の導電性素子を備えることもできる。
【００１９】
基板は、可撓性支持体（1枚の紙またはプラスチック）であることが好ましい。しかし基板は、面抵抗率が小さな（すなわち10Ω未満の）金属支持体でもよい。
【００２０】
本発明の装置は、磁気プラスチック・カード、スマート・カード、顧客カードで使用できることが望ましい。この場合には、基板はカードの表面の全体または一部を構成する。
【００２１】
本発明の装置は、プリンタの中でも使用できることが望ましい。この場合には、基板は可撓性シートであり、そのサイズは、そのシートにプリントするプリンタの中で使用するのに適したサイズである。
【００２２】
本発明の他の特徴と利点は、さまざまな図面を参照した以下の説明を読めば明らかになろう。
【発明を実施するための最良の形態】
【００２３】
以下の説明は、図面を参照した本発明の主要な実施態様に関する詳細な説明であり、同じ参照番号は、それぞれの図面における同じ要素を示している。
【００２４】
双安定性液晶、好ましくは“コレステリック”双安定性液晶が、従来技術で知られている。双安定性液晶（コレステリックであることが好ましい）を用いて本発明の装置が実現される。双安定性液晶は、安定状態に維持するのにエネルギー（例えば電気）を常時消費することはないという利点を有する。双安定性液晶は、この双安定性液晶が組み込まれたスクリーンやディスプレイ支持体を用いた表示の技術分野でしばしば用いられる。アメリカ合衆国特許第6,637,650号には、ポリマーの中に分散させた双安定性液晶を含む材料を用いたディスプレイ素子が記載されている。この材料はPDLC（ポリマーに分散された液晶）と呼ばれており、一般に薄いコーティングの形態である。PDChLC（ポリマーに分散されたコレステリック液晶）からなるコーティングを用いることができる。PDLCまたはPDChLCからなる薄いコーティングは、双安定性液晶をポリマーの中で乳化して粒子にすることによって作ることが望ましい。このようにして形成された薄いコーティングは、可撓性のある固体形態であることが望ましい。この薄いコーティングは、電場を印加すると反応し、例えば情報を表示する。この薄いコーティングは、2つの光学状態を有する。1つは“透過”状態（大きな透過率）であり、もう1つは“反射”状態（反射と散乱）である。この2つの状態はどちらも、電場パルスの効果で液晶を配向させることによって得られる。すると両方の光学的状態が安定に留まる。すなわち電場なしでそれぞれの光学状態を維持することができる。これは、長時間にわたって電気エネルギーを節約できるという利点を有する。なぜなら材料の光学状態を変化させるのに必要なときにパルスを印加する必要があるだけだからである。
【００２５】
図1は、本発明による装置の第1の実施態様である。本発明の装置は、情報を書き、表示し、消去することのできる媒体Sを備えている。媒体Sは、土台として基板1を備えている。基板1は可撓性であることが好ましい。基板1は、例えば1枚の紙である。基板は、可撓性支持体（例えば1枚のプラスチック・シート（プラスチック・ポリエステル・フィルムなど））にすることもできる。基板1の上には、この基板1から順番に、導電性コーティング2；露出している面全体で周囲光の全部または一部を一様に吸収することのできる光学的コーティング3；複数の双安定性液晶5が内部で乳化されている透明な物質からなるコーティング4；光を透過させる頂部の保護コーティング6を設ける。光学的コーティング3は、すべての光を吸収すること、または例えば着色コーティングのように光の一部だけを吸収して残りを反射させることができる。透明な物質4は、例えばなめし処理したゼラチンである。なめし処理したゼラチンは、望ましいことに引っ掻きや物理的接触による傷みに対する抵抗力がある。この透明な物質4は、電極との物理的接触も促進せねばならない。すなわちこの透明な物質4は、電極が容易に滑り、電極と密に接触するような摩擦係数を持たねばならない。保護コーティング6は、複数の双安定性液晶が内部で乳化されている透明なコーティング4を、接触や引っかき傷から保護するためのものである。光学的コーティング3は、例えばカーボン・ブラックまたは染料をポリマーと混合したような材料を含む黒色ナノ顔料または着色ナノ顔料で形成されたコーティングであることが好ましい。光学的コーティング3の電気抵抗は大きく、108Ω以上である。複数の双安定性液晶5が内部で粒子の形態になって乳化されている透明な物質4は、例えばPDChLCコーティングである。
【００２６】
この装置は、導電性素子7も備えている。導電性素子7は、電圧発生器8を介して導電性コーティング2と電気的に接続され、電気回路9を形成している。電気回路9は、例えばワイヤで接続することによって形成する。電気回路9と導電性コーティング2の接続は、導電性コーティング2から離すことのできる取外し可能な接続であることが望ましい。例えば媒体Sの厚みを挟むグリップと、このグリップと一体化したピンを用いた単純な接続にし、このピンを導電性コーティング2の厚さに沿った位置に配置してこの導電性コーティングと接触させる。導電性コーティング2は、銀粒子またはカーボンをベースとした導電性インクで構成することが望ましい。導電性コーティング2も透明にすることができ、ITO（インジウム-スズ-酸化物）タイプの物質（すなわちインジウムと酸化スズをベースとした材料）で構成する。
【００２７】
導電性素子7は、保護コーティング6の表面と接触させてその上を自由に移動させることで、複数の双安定性液晶が内部で乳化されている透明なコーティング4の光透過状態を、接点において変化させることを目的としている。そうすることで例えば点または線を用いて書いたものを発生させ、それを表示する。これは、保護コーティング6が（導電性ではない）誘電性材料によって構成されているか、保護コーティング6が十分に薄いため、導電性素子7で電極として機能する（導電性のある）先端部10と、複数の双安定性液晶が内部で乳化されている透明なコーティング4との間に乱れなしに電気的接触が確立されることを意味する。先端部10は、例えば鉛筆の先端が丸まった形状、または例えば小さくて平坦な円板の形状（すなわち直径が10分の数ミリメートル〜数ミリメートル）を持つ。保護コーティング6は、厚さが0.3〜3μmであることが好ましい。保護コーティング6は、面抵抗率が大きく106Ωを超える。液晶の状態を変化させることのできる電場を確立するのに必要な電圧を制限するには、保護コーティングの体積伝導率が小さいことが望ましい。これが、保護コーティング6の面抵抗率を106〜109Ωに選択すると好ましいことの理由である。
【００２８】
（図示していない）単純化した別の一実施態様では、複数の双安定性液晶5が内部で乳化されている導電性素子7を透明なコーティング4と接触させ、複数の双安定性液晶が内部で乳化されている透明なコーティング4の光透過状態を、接触部において変化させる。そうすることで、情報を書いて表示したり、表示された情報を消去したりする。この簡単化した実施態様では、書いて表示する媒体Sは、保護コーティング6を含んでいない。
【００２９】
好ましい一実施態様では、電圧発生器8は、導電性素子7に組み込まれている。導電性素子7は、鉛筆またはペンと同じ形状とサイズになっていて容易に手で持てることが好ましい。導電性素子7は、変形可能な接触先端部10を備えていて、その接触先端部10を接触させることになるコーティングと密に接触できることが望ましい。導電性素子7は、例えば炭素粒子を十分に添加したケイ素からなり、その先端部10の硬さは、70ショアAである。導電性素子7を媒体Sの頂部コーティングの表面と接触させながら移動させると、情報を発生させて表示することができる。
【００３０】
しかし別の一実施態様では、複数の導電性素子7を使用することができる。これらの導電性素子7は、例えばプリンタなどの装置に組み込むことができ、これら導電性素子の運動は、例えばプリンタ制御ユニットを用いて自動制御することができる。
【００３１】
導電性素子の先端は、発生する情報に関係した形状を有する。導電性素子7を動かしてコーティングの表面に接触させ、この情報を表面上の必要な位置に発生させて表示することができる。
【００３２】
図4は、図1に示した本発明による装置の実施態様（第1の実施態様）の変形例である。図1の第1の実施態様と比較すると、光の全部または一部を吸収する光学的コーティング3と、複数の双安定性液晶5が内部で乳化されている透明なコーティング4が、図4に示したように逆になっている。この実施態様では、導電性コーティング2は透明である。この場合には基板1が透明であるため。発生する情報を媒体Sを通して見ることができよう。
【００３３】
図5は、図1に示した本発明による装置の実施態様の別の変形例である。図1の第1の実施態様と比較すると、光の全部または一部を吸収する光学的コーティング3と導電性コーティング2が逆になっている。図5を参照のこと。
【００３４】
図2は、本発明による装置の第2の実施態様を示している。周囲光の全部または一部を吸収する光学的コーティングと、導電性コーティングが、同一の導電性光吸収性コーティング2'を形成している。
【００３５】
図3は、本発明による装置の第3の実施態様を示している。基板と、周囲光の全部または一部を吸収する光学的コーティングと、導電性コーティングが、同一の基板1'を形成している。基板1'は、導電性かつ光吸収性である。
【００３６】
情報を書いて表示することを目的として、複数の双安定性液晶5が内部で乳化されている透明なコーティングにおける光透過状態を変更するには、導電性素子7を先端部10を利用して複数の双安定性液晶を含む乳化されたそのコーティングと接触させて電気回路を閉じるとき、その電気回路を伝わる第1の電圧パルスを用いる。
【００３７】
書かれて表示されている情報を消去するため、複数の双安定性液晶5が内部で乳化されている透明なコーティングにおける光透過状態を変更するには、導電性素子を先端部10を利用して複数の双安定性液晶を含む乳化されたそのコーティングと接触させて電気回路を閉じるとき、その電気回路を伝わる第2の電圧パルスを用いる。
【００３８】
図6によると、書いたり消したりすることを目的として、電圧パルスを例えば曲線11に示した時系列に従って与える。曲線11は、電圧パルスの値Vを時間tの関数として示している。例えば値v1に対応する電圧パルスや値v2に対応する電圧パルスが、時間間隔Δtの間に与えられる。Δtの値は、10、50、100ミリ秒のうちの1つを選択することが好ましい。これらの電圧パルスは、例えば導電性素子7の外面に配置した2状態ボタンを用いて制御する。媒体Sに書くためには、電圧パルスの値は、曲線11で示したように、鋭い前面に従って増加した後に瞬間的に低下し、電圧値がv2からゼロになる。v2は40ボルト〜80ボルトである。媒体Sに書かれているものを消去するには、電圧パルスの値は、曲線11で示したように、鋭い前面に従って増加した後に瞬間的に低下し、電圧値がv1からゼロになる。v1は80ボルト〜120ボルトである。（消去するための）v1は、一般に、（書くための）v2よりも大きい。電源は直流であることが望ましい。しかし交流電源も使用できる。電気パルスの電圧と持続時間は例として与えてある。なぜならこれらの値は、使用する液晶のタイプや、ポリマーの中で液晶を混合する方法や、基板の上に堆積させるコーティングの厚さによって異なるからである。さらに、印加する電圧の値と、表示中に見られる光学密度のレベルの間には、ある関係が存在している。したがって、媒体S上での電極の先端部の位置に応じて電圧値を変化させることにより、複数の密度を表示させることができる。このようにすると、情報を画像として得ることができる。その結果、電気パルスの他のいろいろな電圧値と持続時間を本発明の装置で使用できる。
【００３９】
本発明の装置は、好ましいことにカードとともに使用することもできる。ディスプレイは、時間経過に伴って変えることのできる視覚情報を提供できる。情報をコードしている磁気ストリップの代わりにディスプレイにし、この情報が見えるようにできることが望ましい。カードは、電子メモリとともに提供することができる。スマート・カードが広く使用されており、さまざまなニーズ（バンキング、電話、交通など）をカバーしている。一般に、情報（例えば人物を同定する英数字コード、または特定のサービスに対応する英数字コード）がスマート・カードに表示される。しかしスマート・カードの利用者は、カードそのものに関する情報も瞬間的に表示させねばならない可能性がある。一時的に表示される情報は、例えば、銀行預金口座に関する操作の計算結果、電話番号、支払期日、スマート・カードに関係した他のあらゆる情報、スマート・カードに関係しない他のあらゆる情報である。したがって表示される情報として、例えばカードのメモリに書き込まれた情報を提供することができる。したがって情報を書いて表示する媒体Sをカードの窓に容易に組み込むことができる。情報を書いて表示する媒体は、カードの材料と適合した材料で製造せねばならない。媒体をカードに組み込むには、例えば、情報を書いて表示するその媒体をカードに接着したり、クランプで留めたりすることや、プレスしたり、カードに設けた開口部に嵌め込んで溶接したりすることさえできる。情報を書いて表示するその支持体1、1'は、例えばポリエチレンテレフタレートで製造し、厚さを0.175mmにする。別の変形例では、情報を書いて表示する媒体として、面抵抗率が小さい（10Ω未満が好ましい）金属製支持体を用いる。窓は、例えば表面積が数平方センチメートルの長方形にし、カードの空いたスペースに配置することができる。このスペースは、例えばカードの全表面積（一般に数十平方センチメートル）に対応させることもできる。
【００４０】
本発明とその応用を特に好ましい実施態様に関して説明してきたが、請求項の範囲内でさまざまな変形や変更が可能であることは明らかである。
【図面の簡単な説明】
【００４１】
【図１】本発明による装置の第1の実施態様である。
【図２】本発明による装置の第2の実施態様である。
【図３】本発明による装置の第3の実施態様である。
【図４】図1に示した本発明による装置の第1の実施態様の変形例である。
【図５】図1に示した本発明による装置の第1の実施態様の別の変形例である。
【図６】本発明に従って媒体の表示状態を変化させるための、時間の関数としての電圧曲線の様子である。
【図１】
2008544298.tif 000003
【図２】
2008544298.tif 000004
【図３】
2008544298.tif 000005
【図４】
2008544298.tif 000006
【図５】
2008544298.tif 000007
【図６】
2008544298.tif 000008
【国際調査報告】
2008544298.tif 000009
2008544298.tif 000010
2008544298.tif 000011